(57)【要約】【課題】携帯電話と管理サーバー間の通信によって仮想空間におけるポイント管理を行うにあたって、その途中で通信が切断されてしまった場合であっても、利用者が損失を被らないようにすることができるようにしたポイント管理携帯端末装置を提供する。【解決手段】ポイント記憶手段は携帯端末装置の操作者が所持する仮想空間におけるポイントを記憶し、アイテム記憶手段は前記携帯端末装置の操作者が所持する仮想空間におけるアイテムを記憶し、アイテム登録手段は操作者がポイントと交換することによってアイテムを取得したことを前記アイテム記憶手段に登録し、登録送信手段は管理装置にアイテムを登録した旨を送信し、ポイント減算手段は前記アイテムを取得する際に交換したポイントを前記ポイント記憶手段に記憶されているポイントから減算し、減算送信手段は前記登録送信手段による送信が終了した後に、前記管理装置にポイントを減算した旨を送信する。【選択図】図１
2008083840.tif 000002
【特許請求の範囲】
【請求項１】
無線通信によって携帯端末装置と情報の授受を可能に接続された管理装置により、仮想空間におけるアイテムと交換することができるポイントを管理するポイント管理システムであって、
前記携帯端末装置は、
該携帯端末装置の操作者が所持する仮想空間におけるポイントを記憶する第１のポイント記憶手段と、
前記携帯端末装置の操作者が所持する仮想空間におけるアイテムを記憶する第１のアイテム記憶手段と、
操作者がポイントと交換することによってアイテムを取得したことを前記第１のアイテム記憶手段に登録する第１のアイテム登録手段と、
前記管理装置にアイテムを登録した旨を送信する登録送信手段と、
前記アイテムを取得する際に交換したポイントを前記第１のポイント記憶手段に記憶されているポイントから減算する第１のポイント減算手段と、
前記登録送信手段による送信が終了した後に、前記管理装置にポイントを減算した旨を送信する減算送信手段
を具備し、
前記管理装置は、
前記携帯端末装置の操作者が所持する仮想空間におけるポイントを該操作者毎に記憶する第２のポイント記憶手段と、
前記携帯端末装置の操作者が所持する仮想空間におけるアイテムを該操作者毎に記憶する第２のアイテム記憶手段と、
前記携帯端末装置の登録送信手段によって送信されたアイテムを受信する登録受信手段と、
前記登録受信手段によって受信したアイテムを前記第２のアイテム記憶手段に記憶する第２のアイテム登録手段と、
前記携帯端末装置の減算送信手段によって送信された減算したポイントを受信する減算受信手段と、
前記減算受信手段によって受信したポイントを前記第２のポイント記憶手段に記憶されているポイントから減算する第２のポイント減算手段
を具備することを特徴とするポイント管理システム。
【請求項２】
情報の授受を可能に無線通信によって接続された管理装置を用いて、仮想空間におけるアイテムと交換することができるポイントを管理するポイント管理携帯端末装置であって、
前記ポイント管理携帯端末装置は、
該ポイント管理携帯端末装置の操作者が所持する仮想空間におけるポイントを記憶するポイント記憶手段と、
前記ポイント管理携帯端末装置の操作者が所持する仮想空間におけるアイテムを記憶するアイテム記憶手段と、
操作者がポイントと交換することによってアイテムを取得したことを前記アイテム記憶手段に登録するアイテム登録手段と、
前記管理装置にアイテムを登録した旨を送信する登録送信手段と、
前記アイテムを取得する際に交換したポイントを前記ポイント記憶手段に記憶されているポイントから減算するポイント減算手段と、
前記登録送信手段による送信が終了した後に、前記管理装置にポイントを減算した旨を送信する減算送信手段
を具備することを特徴とするポイント管理携帯端末装置。
【請求項３】
無線通信によって携帯端末装置と情報の授受を可能に接続され、仮想空間におけるアイテムと交換することができるポイントを管理するポイント管理装置であって、
前記ポイント管理装置は、
前記携帯端末装置の操作者が所持する仮想空間におけるポイントを該操作者毎に記憶するポイント記憶手段と、
前記携帯端末装置の操作者が所持する仮想空間におけるアイテムを該操作者毎に記憶するアイテム記憶手段と、
前記携帯端末装置によって送信されたアイテムを受信する登録受信手段と、
前記登録受信手段によって受信したアイテムを前記アイテム記憶手段に記憶するアイテム登録手段と、
前記携帯端末装置によって送信された減算したポイントを受信する減算受信手段と、
前記減算受信手段によって受信したポイントを前記ポイント記憶手段に記憶されているポイントから減算するポイント減算手段
を具備することを特徴とするポイント管理装置。
【請求項４】
無線通信によって携帯端末装置と情報の授受を可能に接続された管理装置により、仮想空間におけるアイテムと交換することができるポイントを管理するポイント管理システムで実行されるポイント管理プログラムであって、
前記携帯端末装置に、
該携帯端末装置の操作者が所持する仮想空間におけるポイントを記憶する第１のポイント記憶機能と、
前記携帯端末装置の操作者が所持する仮想空間におけるアイテムを記憶する第１のアイテム記憶機能と、
操作者がポイントと交換することによってアイテムを取得したことを前記第１のアイテム記憶機能に登録する第１のアイテム登録機能と、
前記管理装置にアイテムを登録した旨を送信する登録送信機能と、
前記アイテムを取得する際に交換したポイントを前記第１のポイント記憶機能に記憶されているポイントから減算する第１のポイント減算機能と、
前記登録送信機能による送信が終了した後に、前記管理装置にポイントを減算した旨を送信する減算送信機能
を実現させ、
前記管理装置に、
前記携帯端末装置の操作者が所持する仮想空間におけるポイントを該操作者毎に記憶する第２のポイント記憶機能と、
前記携帯端末装置の操作者が所持する仮想空間におけるアイテムを該操作者毎に記憶する第２のアイテム記憶機能と、
前記携帯端末装置の登録送信機能によって送信されたアイテムを受信する登録受信機能と、
前記登録受信機能によって受信したアイテムを前記第２のアイテム記憶機能に記憶する第２のアイテム登録機能と、
前記携帯端末装置の減算送信機能によって送信された減算したポイントを受信する減算受信機能と、
前記減算受信機能によって受信したポイントを前記第２のポイント記憶機能に記憶されているポイントから減算する第２のポイント減算機能
を実現させることを特徴とするポイント管理プログラム。
【請求項５】
情報の授受を可能に無線通信によって接続された管理装置を用いて、仮想空間におけるアイテムと交換することができるポイントを管理するポイント管理携帯端末装置で実行されるポイント管理プログラムであって、
前記ポイント管理携帯端末装置に、
該ポイント管理携帯端末装置の操作者が所持する仮想空間におけるポイントを記憶するポイント記憶機能と、
前記ポイント管理携帯端末装置の操作者が所持する仮想空間におけるアイテムを記憶するアイテム記憶機能と、
操作者がポイントと交換することによってアイテムを取得したことを前記アイテム記憶機能に登録するアイテム登録機能と、
前記管理装置にアイテムを登録した旨を送信する登録送信機能と、
前記アイテムを取得する際に交換したポイントを前記ポイント記憶機能に記憶されているポイントから減算するポイント減算機能と、
前記登録送信機能による送信が終了した後に、前記管理装置にポイントを減算した旨を送信する減算送信機能
を実現させることを特徴とするポイント管理プログラム。
【請求項６】
無線通信によって携帯端末装置と情報の授受を可能に接続され、仮想空間におけるアイテムと交換することができるポイントを管理するポイント管理装置で実行されるポイント管理プログラムであって、
前記ポイント管理装置に、
前記携帯端末装置の操作者が所持する仮想空間におけるポイントを該操作者毎に記憶するポイント記憶機能と、
前記携帯端末装置の操作者が所持する仮想空間におけるアイテムを該操作者毎に記憶するアイテム記憶機能と、
前記携帯端末装置によって送信されたアイテムを受信する登録受信機能と、
前記登録受信機能によって受信したアイテムを前記アイテム記憶機能に記憶するアイテム登録機能と、
前記携帯端末装置によって送信された減算したポイントを受信する減算受信機能と、
前記減算受信機能によって受信したポイントを前記ポイント記憶機能に記憶されているポイントから減算するポイント減算機能
を実現させることを特徴とするポイント管理プログラム。
【請求項７】
無線通信によって携帯端末装置と情報の授受を可能に接続された管理装置により、仮想空間におけるアイテムと交換することができるポイントを管理するポイント管理システムが行うポイント管理方法であって、
前記携帯端末装置は、
該携帯端末装置の操作者が所持する仮想空間におけるポイントを記憶する第１のポイント記憶手段と、
前記携帯端末装置の操作者が所持する仮想空間におけるアイテムを記憶する第１のアイテム記憶手段
を具備し、
操作者がポイントと交換することによってアイテムを取得したことを前記第１のアイテム記憶手段に登録し、
前記管理装置にアイテムを登録した旨を送信し、
前記アイテムを取得する際に交換したポイントを前記第１のポイント記憶手段に記憶されているポイントから減算し、
前記送信が終了した後に、前記管理装置にポイントを減算した旨を送信し、
前記管理装置は、
前記携帯端末装置の操作者が所持する仮想空間におけるポイントを該操作者毎に記憶する第２のポイント記憶手段と、
前記携帯端末装置の操作者が所持する仮想空間におけるアイテムを該操作者毎に記憶する第２のアイテム記憶手段
を具備し、
前記携帯端末装置によって送信されたアイテムを受信し、
前記受信したアイテムを前記第２のアイテム記憶手段に記憶し、
前記携帯端末装置によって送信された減算したポイントを受信し、
前記受信したポイントを前記第２のポイント記憶手段に記憶されているポイントから減算する
ことを特徴とするポイント管理方法。
【請求項８】
情報の授受を可能に無線通信によって接続された管理装置を用いて、仮想空間におけるアイテムと交換することができるポイントを管理するポイント管理携帯端末装置が行うポイント管理方法であって、
前記ポイント管理携帯端末装置は、
該ポイント管理携帯端末装置の操作者が所持する仮想空間におけるポイントを記憶するポイント記憶手段と、
前記ポイント管理携帯端末装置の操作者が所持する仮想空間におけるアイテムを記憶するアイテム記憶手段
を具備し、
操作者がポイントと交換することによってアイテムを取得したことを前記アイテム記憶手段に登録し、
前記管理装置にアイテムを登録した旨を送信し、
前記アイテムを取得する際に交換したポイントを前記ポイント記憶手段に記憶されているポイントから減算し、
前記送信が終了した後に、前記管理装置にポイントを減算した旨を送信する
ことを特徴とするポイント管理方法。
【請求項９】
無線通信によって携帯端末装置と情報の授受を可能に接続され、仮想空間におけるアイテムと交換することができるポイントを管理するポイント管理装置が行うポイント管理方法であって、
前記ポイント管理装置は、
前記携帯端末装置の操作者が所持する仮想空間におけるポイントを該操作者毎に記憶するポイント記憶手段と、
前記携帯端末装置の操作者が所持する仮想空間におけるアイテムを該操作者毎に記憶するアイテム記憶手段
を具備し、
前記携帯端末装置によって送信されたアイテムを受信し、
前記受信したアイテムを前記アイテム記憶手段に記憶し、
前記携帯端末装置によって送信された減算したポイントを受信し、
前記受信したポイントを前記ポイント記憶手段に記憶されているポイントから減算する
ことを特徴とするポイント管理方法。
【請求項１０】
無線通信によって携帯端末装置と情報の授受を可能に接続された管理装置により、仮想空間におけるアイテムと交換することができるポイントを管理するポイント管理システムであって、
前記携帯端末装置は、
該携帯端末装置の操作者が所持する仮想空間におけるポイントを記憶する第１のポイント記憶手段と、
前記携帯端末装置の操作者が所持する仮想空間におけるアイテムを記憶する第１のアイテム記憶手段と、
操作者がアイテムを売却することによって取得したポイントを前記第１のポイント記憶手段に記憶されているポイントに加算する第１のポイント加算手段と、
前記管理装置にポイントを加算した旨を送信する加算送信手段と、
前記アイテムを売却したことを前記第１のアイテム記憶手段に登録する第１のアイテム登録手段と、
前記加算送信手段による送信が終了した後に、前記管理装置にアイテムを売却した旨を送信する売却送信手段
を具備し、
前記管理装置は、
前記携帯端末装置の操作者が所持する仮想空間におけるポイントを該操作者毎に記憶する第２のポイント記憶手段と、
前記携帯端末装置の操作者が所持する仮想空間におけるアイテムを該操作者毎に記憶する第２のアイテム記憶手段と、
前記携帯端末装置の加算送信手段によって送信された加算したポイントを受信する加算受信手段と、
前記加算受信手段によって受信したポイントを前記第２のポイント記憶手段に記憶されているポイントに加算する第２のポイント加算手段と、
前記携帯端末装置の売却送信手段によって送信されたアイテムを受信する売却受信手段と、
前記売却受信手段によって受信したアイテムを前記第２のアイテム記憶手段から削除する第２のアイテム登録手段
を具備することを特徴とするポイント管理システム。
【請求項１１】
情報の授受を可能に無線通信によって接続された管理装置を用いて、仮想空間におけるアイテムと交換することができるポイントを管理するポイント管理携帯端末装置であって、
前記ポイント管理携帯端末装置は、
該ポイント管理携帯端末装置の操作者が所持する仮想空間におけるポイントを記憶するポイント記憶手段と、
前記ポイント管理携帯端末装置の操作者が所持する仮想空間におけるアイテムを記憶するアイテム記憶手段と、
操作者がアイテムを売却することによって取得したポイントを前記ポイント記憶手段に記憶されているポイントに加算するポイント加算手段と、
前記管理装置にポイントを加算した旨を送信する加算送信手段と、
前記アイテムを売却したことを前記アイテム記憶手段に登録するアイテム登録手段と、
前記加算送信手段による送信が終了した後に、前記管理装置にアイテムを売却した旨を送信する売却送信手段
を具備することを特徴とするポイント管理携帯端末装置。
【請求項１２】
無線通信によって携帯端末装置と情報の授受を可能に接続され、仮想空間におけるアイテムと交換することができるポイントを管理するポイント管理装置であって、
前記ポイント管理装置は、
前記携帯端末装置の操作者が所持する仮想空間におけるポイントを該操作者毎に記憶するポイント記憶手段と、
前記携帯端末装置の操作者が所持する仮想空間におけるアイテムを該操作者毎に記憶するアイテム記憶手段と、
前記携帯端末装置によって送信された加算したポイントを受信する加算受信手段と、
前記加算受信手段によって受信したポイントを前記ポイント記憶手段に記憶されているポイントに加算する第２のポイント加算手段と、
前記携帯端末装置によって送信されたアイテムを受信する売却受信手段と、
前記売却受信手段によって受信したアイテムを前記アイテム記憶手段から削除する第２のアイテム登録手段
を具備することを特徴とするポイント管理装置。
【請求項１３】
無線通信によって携帯端末装置と情報の授受を可能に接続された管理装置により、仮想空間におけるアイテムと交換することができるポイントを管理するポイント管理システムで実行されるポイント管理プログラムであって、
前記携帯端末装置に、
該携帯端末装置の操作者が所持する仮想空間におけるポイントを記憶する第１のポイント記憶機能と、
前記携帯端末装置の操作者が所持する仮想空間におけるアイテムを記憶する第１のアイテム記憶機能と、
操作者がアイテムを売却することによって取得したポイントを前記第１のポイント記憶機能に記憶されているポイントに加算する第１のポイント加算機能と、
前記管理装置にポイントを加算した旨を送信する加算送信機能と、
前記アイテムを売却したことを前記第１のアイテム記憶機能に登録する第１のアイテム登録機能と、
前記加算送信機能による送信が終了した後に、前記管理装置にアイテムを売却した旨を送信する売却送信機能
を実現させ、
前記管理装置に、
前記携帯端末装置の操作者が所持する仮想空間におけるポイントを該操作者毎に記憶する第２のポイント記憶機能と、
前記携帯端末装置の操作者が所持する仮想空間におけるアイテムを該操作者毎に記憶する第２のアイテム記憶機能と、
前記携帯端末装置の加算送信機能によって送信された加算したポイントを受信する加算受信機能と、
前記加算受信機能によって受信したポイントを前記第２のポイント記憶機能に記憶されているポイントに加算する第２のポイント加算機能と、
前記携帯端末装置の売却送信機能によって送信されたアイテムを受信する売却受信機能と、
前記売却受信機能によって受信したアイテムを前記第２のアイテム記憶機能から削除する第２のアイテム登録機能
を実現させることを特徴とするポイント管理プログラム。
【請求項１４】
情報の授受を可能に無線通信によって接続された管理装置を用いて、仮想空間におけるアイテムと交換することができるポイントを管理するポイント管理携帯端末装置で実行されるポイント管理プログラムであって、
前記ポイント管理携帯端末装置に、
該ポイント管理携帯端末装置の操作者が所持する仮想空間におけるポイントを記憶するポイント記憶機能と、
前記ポイント管理携帯端末装置の操作者が所持する仮想空間におけるアイテムを記憶するアイテム記憶機能と、
操作者がアイテムを売却することによって取得したポイントを前記ポイント記憶機能に記憶されているポイントに加算するポイント加算機能と、
前記管理装置にポイントを加算した旨を送信する加算送信機能と、
前記アイテムを売却したことを前記アイテム記憶機能に登録するアイテム登録機能と、
前記加算送信機能による送信が終了した後に、前記管理装置にアイテムを売却した旨を送信する売却送信機能
を実現させることを特徴とするポイント管理プログラム。
【請求項１５】
無線通信によって携帯端末装置と情報の授受を可能に接続され、仮想空間におけるアイテムと交換することができるポイントを管理するポイント管理装置で実行されるポイント管理プログラムであって、
前記ポイント管理装置に、
前記携帯端末装置の操作者が所持する仮想空間におけるポイントを該操作者毎に記憶するポイント記憶機能と、
前記携帯端末装置の操作者が所持する仮想空間におけるアイテムを該操作者毎に記憶するアイテム記憶機能と、
前記携帯端末装置によって送信された加算したポイントを受信する加算受信機能と、
前記加算受信機能によって受信したポイントを前記ポイント記憶機能に記憶されているポイントに加算する第２のポイント加算機能と、
前記携帯端末装置によって送信されたアイテムを受信する売却受信機能と、
前記売却受信機能によって受信したアイテムを前記アイテム記憶機能から削除する第２のアイテム登録機能
を実現させることを特徴とするポイント管理プログラム。
【請求項１６】
無線通信によって携帯端末装置と情報の授受を可能に接続された管理装置により、仮想空間におけるアイテムと交換することができるポイントを管理するポイント管理システムが行うポイント管理方法であって、
前記携帯端末装置は、
該携帯端末装置の操作者が所持する仮想空間におけるポイントを記憶する第１のポイント記憶手段と、
前記携帯端末装置の操作者が所持する仮想空間におけるアイテムを記憶する第１のアイテム記憶手段
を具備し、
操作者がアイテムを売却することによって取得したポイントを前記第１のポイント記憶手段に記憶されているポイントに加算し、
前記管理装置にポイントを加算した旨を送信し、
前記アイテムを売却したことを前記第１のアイテム記憶手段に登録し、
前記送信が終了した後に、前記管理装置にアイテムを売却した旨を送信し、
前記管理装置は、
前記携帯端末装置の操作者が所持する仮想空間におけるポイントを該操作者毎に記憶する第２のポイント記憶手段と、
前記携帯端末装置の操作者が所持する仮想空間におけるアイテムを該操作者毎に記憶する第２のアイテム記憶手段
を具備し、
前記携帯端末装置によって送信された加算したポイントを受信し、
前記受信したポイントを前記第２のポイント記憶手段に記憶されているポイントに加算し、
前記携帯端末装置によって送信されたアイテムを受信し、
前記受信したアイテムを前記第２のアイテム記憶手段から削除する
ことを特徴とするポイント管理方法。
【請求項１７】
情報の授受を可能に無線通信によって接続された管理装置を用いて、仮想空間におけるアイテムと交換することができるポイントを管理するポイント管理携帯端末装置が行うポイント管理方法であって、
前記ポイント管理携帯端末装置は、
該ポイント管理携帯端末装置の操作者が所持する仮想空間におけるポイントを記憶するポイント記憶手段と、
前記ポイント管理携帯端末装置の操作者が所持する仮想空間におけるアイテムを記憶するアイテム記憶手段
を具備し、
操作者がアイテムを売却することによって取得したポイントを前記ポイント記憶手段に記憶されているポイントに加算し、
前記管理装置にポイントを加算した旨を送信し、
前記アイテムを売却したことを前記アイテム記憶手段に登録し、
前記送信が終了した後に、前記管理装置にアイテムを売却した旨を送信する
ことを特徴とするポイント管理方法。
【請求項１８】
無線通信によって携帯端末装置と情報の授受を可能に接続され、仮想空間におけるアイテムと交換することができるポイントを管理するポイント管理装置が行うポイント管理方法であって、
前記ポイント管理装置は、
前記携帯端末装置の操作者が所持する仮想空間におけるポイントを該操作者毎に記憶するポイント記憶手段と、
前記携帯端末装置の操作者が所持する仮想空間におけるアイテムを該操作者毎に記憶するアイテム記憶手段
を具備し、
前記携帯端末装置によって送信された加算したポイントを受信し、
前記受信したポイントを前記ポイント記憶手段に記憶されているポイントに加算し、
前記携帯端末装置によって送信されたアイテムを受信し、
前記受信したアイテムを前記アイテム記憶手段から削除する
ことを特徴とするポイント管理方法。
【発明の詳細な説明】
【技術分野】
【０００１】
本発明は、無線通信によって携帯端末装置と情報の授受を可能に接続された管理装置により、仮想空間におけるアイテムと交換することができるポイントを管理するポイント管理システム、ポイント管理携帯端末装置、ポイント管理装置、ポイント管理プログラムおよびポイント管理方法に関する。
【背景技術】
【０００２】
携帯電話を用いたサービスとして、豊かなコミュニケーションを可能にする身近で使いやすいサービスが望まれている。そのためには、第三者が発信するメッセージを一方的に受け取るのではなく、生身の「人と人」の間のコミュニケーションをサポートすることが必要である。また、これまでは「知り合い」までに限られていたコミュニケーションの相手を、世の中にいる「自分と同じ興味をもつ人たち」にまで広げることも必要である。そして、利用者としても、新しい仲間を見つけ、「人と人」の間のコミュニケーションをもっと楽しめるようにしたいという要求がある。
【０００３】
そのために、アバター（Ａｖａｔａｒ）を利用した仮想空間におけるサービスが利用されている。例えば、オンライン対戦型ゲームなどが実現されているが、今まで知らなかった人との現実世界にも通じるコミュニケーションが実現されているわけではない。
そこで、仮想空間における「今まで知らなかった人とのコミュニケーション」を実現するためのプラットフォームを構築することが望まれている。つまり、携帯電話のユーザーが住人となって、散歩、イベント、コミュニケーション、おしゃれ、ゲームなどを、いつでも、どこからでも気軽に楽しめる仮想空間が望まれている。
そして、その仮想空間の中では、現実の取引を模した行為をすることができるように、仮想マネーともいうべきポイントが使われている。このポイントは仮想空間において、現金と同様の働きを持っているため、厳密な管理が望まれている。
【０００４】
これらに関連する技術として、例えば、特許文献１には、購入価格に応じてポイントを集め、利用者が来店した場合に、集まった総取得ポイントに応じて割引やクーポンとして利用するだけではなく、汎用的に管理できるポイント管理システム等を提供することを課題とし、所定エリア内に複数の設置端末を設置し、設置端末は、記憶媒体に記憶された利用者を識別するための固有の記憶情報を読み取る読取手段と、読取手段により記憶情報を読み取ると、読み取った記憶情報と、設置端末自身を他の設置端末から識別するための固有の識別情報と、を管理装置に送信する送信手段と、管理装置は、設置端末により送信された記憶情報と識別情報を受信する受信手段と、受信した記憶情報と識別情報とに基づいて、所定のルールに従ってポイントを算出するポイント算出手段と、算出したポイントを記憶情報に対応付けて蓄積記憶する記憶手段と、を備える技術が開示されている。
【特許文献１】特開２００６−２０２２２９号公報
【発明の開示】
【発明が解決しようとする課題】
【０００５】
しかしながら、このような従来の技術では、携帯電話と管理サーバー間の通信によってポイント管理を行うにあたって、その途中で通信が切断されてしまった場合に対処できないという問題点があった。
本発明は、このような従来の技術が有する問題点に着目してなされたもので、携帯端末装置と管理サーバー間の通信によって仮想空間におけるポイント管理を行うにあたって、その途中で通信が切断されてしまった場合であっても、利用者が損失を被らないようにすることができるようにしたポイント管理システム、ポイント管理携帯端末装置、ポイント管理装置、ポイント管理プログラムおよびポイント管理方法を提供することを目的としている。
【課題を解決するための手段】
【０００６】
かかる目的を達成するための本発明の要旨とするところは、次の各項の発明に存する。
［１］  無線通信によって携帯端末装置と情報の授受を可能に接続された管理装置により、仮想空間におけるアイテムと交換することができるポイントを管理するポイント管理システムであって、
前記携帯端末装置は、
該携帯端末装置の操作者が所持する仮想空間におけるポイントを記憶する第１のポイント記憶手段と、
前記携帯端末装置の操作者が所持する仮想空間におけるアイテムを記憶する第１のアイテム記憶手段と、
操作者がポイントと交換することによってアイテムを取得したことを前記第１のアイテム記憶手段に登録する第１のアイテム登録手段と、
前記管理装置にアイテムを登録した旨を送信する登録送信手段と、
前記アイテムを取得する際に交換したポイントを前記第１のポイント記憶手段に記憶されているポイントから減算する第１のポイント減算手段と、
前記登録送信手段による送信が終了した後に、前記管理装置にポイントを減算した旨を送信する減算送信手段
を具備し、
前記管理装置は、
前記携帯端末装置の操作者が所持する仮想空間におけるポイントを該操作者毎に記憶する第２のポイント記憶手段と、
前記携帯端末装置の操作者が所持する仮想空間におけるアイテムを該操作者毎に記憶する第２のアイテム記憶手段と、
前記携帯端末装置の登録送信手段によって送信されたアイテムを受信する登録受信手段と、
前記登録受信手段によって受信したアイテムを前記第２のアイテム記憶手段に記憶する第２のアイテム登録手段と、
前記携帯端末装置の減算送信手段によって送信された減算したポイントを受信する減算受信手段と、
前記減算受信手段によって受信したポイントを前記第２のポイント記憶手段に記憶されているポイントから減算する第２のポイント減算手段
を具備することを特徴とするポイント管理システム。
【０００７】
［２］  情報の授受を可能に無線通信によって接続された管理装置を用いて、仮想空間におけるアイテムと交換することができるポイントを管理するポイント管理携帯端末装置であって、
前記ポイント管理携帯端末装置は、
該ポイント管理携帯端末装置の操作者が所持する仮想空間におけるポイントを記憶するポイント記憶手段と、
前記ポイント管理携帯端末装置の操作者が所持する仮想空間におけるアイテムを記憶するアイテム記憶手段と、
操作者がポイントと交換することによってアイテムを取得したことを前記アイテム記憶手段に登録するアイテム登録手段と、
前記管理装置にアイテムを登録した旨を送信する登録送信手段と、
前記アイテムを取得する際に交換したポイントを前記ポイント記憶手段に記憶されているポイントから減算するポイント減算手段と、
前記登録送信手段による送信が終了した後に、前記管理装置にポイントを減算した旨を送信する減算送信手段
を具備することを特徴とするポイント管理携帯端末装置。
【０００８】
［３］  無線通信によって携帯端末装置と情報の授受を可能に接続され、仮想空間におけるアイテムと交換することができるポイントを管理するポイント管理装置であって、
前記ポイント管理装置は、
前記携帯端末装置の操作者が所持する仮想空間におけるポイントを該操作者毎に記憶するポイント記憶手段と、
前記携帯端末装置の操作者が所持する仮想空間におけるアイテムを該操作者毎に記憶するアイテム記憶手段と、
前記携帯端末装置によって送信されたアイテムを受信する登録受信手段と、
前記登録受信手段によって受信したアイテムを前記アイテム記憶手段に記憶するアイテム登録手段と、
前記携帯端末装置によって送信された減算したポイントを受信する減算受信手段と、
前記減算受信手段によって受信したポイントを前記ポイント記憶手段に記憶されているポイントから減算するポイント減算手段
を具備することを特徴とするポイント管理装置。
【０００９】
［４］  無線通信によって携帯端末装置と情報の授受を可能に接続された管理装置により、仮想空間におけるアイテムと交換することができるポイントを管理するポイント管理システムで実行されるポイント管理プログラムであって、
前記携帯端末装置に、
該携帯端末装置の操作者が所持する仮想空間におけるポイントを記憶する第１のポイント記憶機能と、
前記携帯端末装置の操作者が所持する仮想空間におけるアイテムを記憶する第１のアイテム記憶機能と、
操作者がポイントと交換することによってアイテムを取得したことを前記第１のアイテム記憶機能に登録する第１のアイテム登録機能と、
前記管理装置にアイテムを登録した旨を送信する登録送信機能と、
前記アイテムを取得する際に交換したポイントを前記第１のポイント記憶機能に記憶されているポイントから減算する第１のポイント減算機能と、
前記登録送信機能による送信が終了した後に、前記管理装置にポイントを減算した旨を送信する減算送信機能
を実現させ、
前記管理装置に、
前記携帯端末装置の操作者が所持する仮想空間におけるポイントを該操作者毎に記憶する第２のポイント記憶機能と、
前記携帯端末装置の操作者が所持する仮想空間におけるアイテムを該操作者毎に記憶する第２のアイテム記憶機能と、
前記携帯端末装置の登録送信機能によって送信されたアイテムを受信する登録受信機能と、
前記登録受信機能によって受信したアイテムを前記第２のアイテム記憶機能に記憶する第２のアイテム登録機能と、
前記携帯端末装置の減算送信機能によって送信された減算したポイントを受信する減算受信機能と、
前記減算受信機能によって受信したポイントを前記第２のポイント記憶機能に記憶されているポイントから減算する第２のポイント減算機能
を実現させることを特徴とするポイント管理プログラム。
【００１０】
［５］  情報の授受を可能に無線通信によって接続された管理装置を用いて、仮想空間におけるアイテムと交換することができるポイントを管理するポイント管理携帯端末装置で実行されるポイント管理プログラムであって、
前記ポイント管理携帯端末装置に、
該ポイント管理携帯端末装置の操作者が所持する仮想空間におけるポイントを記憶するポイント記憶機能と、
前記ポイント管理携帯端末装置の操作者が所持する仮想空間におけるアイテムを記憶するアイテム記憶機能と、
操作者がポイントと交換することによってアイテムを取得したことを前記アイテム記憶機能に登録するアイテム登録機能と、
前記管理装置にアイテムを登録した旨を送信する登録送信機能と、
前記アイテムを取得する際に交換したポイントを前記ポイント記憶機能に記憶されているポイントから減算するポイント減算機能と、
前記登録送信機能による送信が終了した後に、前記管理装置にポイントを減算した旨を送信する減算送信機能
を実現させることを特徴とするポイント管理プログラム。
【００１１】
［６］  無線通信によって携帯端末装置と情報の授受を可能に接続され、仮想空間におけるアイテムと交換することができるポイントを管理するポイント管理装置で実行されるポイント管理プログラムであって、
前記ポイント管理装置に、
前記携帯端末装置の操作者が所持する仮想空間におけるポイントを該操作者毎に記憶するポイント記憶機能と、
前記携帯端末装置の操作者が所持する仮想空間におけるアイテムを該操作者毎に記憶するアイテム記憶機能と、
前記携帯端末装置によって送信されたアイテムを受信する登録受信機能と、
前記登録受信機能によって受信したアイテムを前記アイテム記憶機能に記憶するアイテム登録機能と、
前記携帯端末装置によって送信された減算したポイントを受信する減算受信機能と、
前記減算受信機能によって受信したポイントを前記ポイント記憶機能に記憶されているポイントから減算するポイント減算機能
を実現させることを特徴とするポイント管理プログラム。
【００１２】
［７］  無線通信によって携帯端末装置と情報の授受を可能に接続された管理装置により、仮想空間におけるアイテムと交換することができるポイントを管理するポイント管理システムが行うポイント管理方法であって、
前記携帯端末装置は、
該携帯端末装置の操作者が所持する仮想空間におけるポイントを記憶する第１のポイント記憶手段と、
前記携帯端末装置の操作者が所持する仮想空間におけるアイテムを記憶する第１のアイテム記憶手段
を具備し、
操作者がポイントと交換することによってアイテムを取得したことを前記第１のアイテム記憶手段に登録し、
前記管理装置にアイテムを登録した旨を送信し、
前記アイテムを取得する際に交換したポイントを前記第１のポイント記憶手段に記憶されているポイントから減算し、
前記送信が終了した後に、前記管理装置にポイントを減算した旨を送信し、
前記管理装置は、
前記携帯端末装置の操作者が所持する仮想空間におけるポイントを該操作者毎に記憶する第２のポイント記憶手段と、
前記携帯端末装置の操作者が所持する仮想空間におけるアイテムを該操作者毎に記憶する第２のアイテム記憶手段
を具備し、
前記携帯端末装置によって送信されたアイテムを受信し、
前記受信したアイテムを前記第２のアイテム記憶手段に記憶し、
前記携帯端末装置によって送信された減算したポイントを受信し、
前記受信したポイントを前記第２のポイント記憶手段に記憶されているポイントから減算する
ことを特徴とするポイント管理方法。
【００１３】
［８］  情報の授受を可能に無線通信によって接続された管理装置を用いて、仮想空間におけるアイテムと交換することができるポイントを管理するポイント管理携帯端末装置が行うポイント管理方法であって、
前記ポイント管理携帯端末装置は、
該ポイント管理携帯端末装置の操作者が所持する仮想空間におけるポイントを記憶するポイント記憶手段と、
前記ポイント管理携帯端末装置の操作者が所持する仮想空間におけるアイテムを記憶するアイテム記憶手段
を具備し、
操作者がポイントと交換することによってアイテムを取得したことを前記アイテム記憶手段に登録し、
前記管理装置にアイテムを登録した旨を送信し、
前記アイテムを取得する際に交換したポイントを前記ポイント記憶手段に記憶されているポイントから減算し、
前記送信が終了した後に、前記管理装置にポイントを減算した旨を送信する
ことを特徴とするポイント管理方法。
【００１４】
［９］  無線通信によって携帯端末装置と情報の授受を可能に接続され、仮想空間におけるアイテムと交換することができるポイントを管理するポイント管理装置が行うポイント管理方法であって、
前記ポイント管理装置は、
前記携帯端末装置の操作者が所持する仮想空間におけるポイントを該操作者毎に記憶するポイント記憶手段と、
前記携帯端末装置の操作者が所持する仮想空間におけるアイテムを該操作者毎に記憶するアイテム記憶手段
を具備し、
前記携帯端末装置によって送信されたアイテムを受信し、
前記受信したアイテムを前記アイテム記憶手段に記憶し、
前記携帯端末装置によって送信された減算したポイントを受信し、
前記受信したポイントを前記ポイント記憶手段に記憶されているポイントから減算する
ことを特徴とするポイント管理方法。
【００１５】
［１０］  無線通信によって携帯端末装置と情報の授受を可能に接続された管理装置により、仮想空間におけるアイテムと交換することができるポイントを管理するポイント管理システムであって、
前記携帯端末装置は、
該携帯端末装置の操作者が所持する仮想空間におけるポイントを記憶する第１のポイント記憶手段と、
前記携帯端末装置の操作者が所持する仮想空間におけるアイテムを記憶する第１のアイテム記憶手段と、
操作者がアイテムを売却することによって取得したポイントを前記第１のポイント記憶手段に記憶されているポイントに加算する第１のポイント加算手段と、
前記管理装置にポイントを加算した旨を送信する加算送信手段と、
前記アイテムを売却したことを前記第１のアイテム記憶手段に登録する第１のアイテム登録手段と、
前記加算送信手段による送信が終了した後に、前記管理装置にアイテムを売却した旨を送信する売却送信手段
を具備し、
前記管理装置は、
前記携帯端末装置の操作者が所持する仮想空間におけるポイントを該操作者毎に記憶する第２のポイント記憶手段と、
前記携帯端末装置の操作者が所持する仮想空間におけるアイテムを該操作者毎に記憶する第２のアイテム記憶手段と、
前記携帯端末装置の加算送信手段によって送信された加算したポイントを受信する加算受信手段と、
前記加算受信手段によって受信したポイントを前記第２のポイント記憶手段に記憶されているポイントに加算する第２のポイント加算手段と、
前記携帯端末装置の売却送信手段によって送信されたアイテムを受信する売却受信手段と、
前記売却受信手段によって受信したアイテムを前記第２のアイテム記憶手段から削除する第２のアイテム登録手段
を具備することを特徴とするポイント管理システム。
【００１６】
［１１］  情報の授受を可能に無線通信によって接続された管理装置を用いて、仮想空間におけるアイテムと交換することができるポイントを管理するポイント管理携帯端末装置であって、
前記ポイント管理携帯端末装置は、
該ポイント管理携帯端末装置の操作者が所持する仮想空間におけるポイントを記憶するポイント記憶手段と、
前記ポイント管理携帯端末装置の操作者が所持する仮想空間におけるアイテムを記憶するアイテム記憶手段と、
操作者がアイテムを売却することによって取得したポイントを前記ポイント記憶手段に記憶されているポイントに加算するポイント加算手段と、
前記管理装置にポイントを加算した旨を送信する加算送信手段と、
前記アイテムを売却したことを前記アイテム記憶手段に登録するアイテム登録手段と、
前記加算送信手段による送信が終了した後に、前記管理装置にアイテムを売却した旨を送信する売却送信手段
を具備することを特徴とするポイント管理携帯端末装置。
【００１７】
［１２］  無線通信によって携帯端末装置と情報の授受を可能に接続され、仮想空間におけるアイテムと交換することができるポイントを管理するポイント管理装置であって、
前記ポイント管理装置は、
前記携帯端末装置の操作者が所持する仮想空間におけるポイントを該操作者毎に記憶するポイント記憶手段と、
前記携帯端末装置の操作者が所持する仮想空間におけるアイテムを該操作者毎に記憶するアイテム記憶手段と、
前記携帯端末装置によって送信された加算したポイントを受信する加算受信手段と、
前記加算受信手段によって受信したポイントを前記ポイント記憶手段に記憶されているポイントに加算する第２のポイント加算手段と、
前記携帯端末装置によって送信されたアイテムを受信する売却受信手段と、
前記売却受信手段によって受信したアイテムを前記アイテム記憶手段から削除する第２のアイテム登録手段
を具備することを特徴とするポイント管理装置。
【００１８】
［１３］  無線通信によって携帯端末装置と情報の授受を可能に接続された管理装置により、仮想空間におけるアイテムと交換することができるポイントを管理するポイント管理システムで実行されるポイント管理プログラムであって、
前記携帯端末装置に、
該携帯端末装置の操作者が所持する仮想空間におけるポイントを記憶する第１のポイント記憶機能と、
前記携帯端末装置の操作者が所持する仮想空間におけるアイテムを記憶する第１のアイテム記憶機能と、
操作者がアイテムを売却することによって取得したポイントを前記第１のポイント記憶機能に記憶されているポイントに加算する第１のポイント加算機能と、
前記管理装置にポイントを加算した旨を送信する加算送信機能と、
前記アイテムを売却したことを前記第１のアイテム記憶機能に登録する第１のアイテム登録機能と、
前記加算送信機能による送信が終了した後に、前記管理装置にアイテムを売却した旨を送信する売却送信機能
を実現させ、
前記管理装置に、
前記携帯端末装置の操作者が所持する仮想空間におけるポイントを該操作者毎に記憶する第２のポイント記憶機能と、
前記携帯端末装置の操作者が所持する仮想空間におけるアイテムを該操作者毎に記憶する第２のアイテム記憶機能と、
前記携帯端末装置の加算送信機能によって送信された加算したポイントを受信する加算受信機能と、
前記加算受信機能によって受信したポイントを前記第２のポイント記憶機能に記憶されているポイントに加算する第２のポイント加算機能と、
前記携帯端末装置の売却送信機能によって送信されたアイテムを受信する売却受信機能と、
前記売却受信機能によって受信したアイテムを前記第２のアイテム記憶機能から削除する第２のアイテム登録機能
を実現させることを特徴とするポイント管理プログラム。
【００１９】
［１４］  情報の授受を可能に無線通信によって接続された管理装置を用いて、仮想空間におけるアイテムと交換することができるポイントを管理するポイント管理携帯端末装置で実行されるポイント管理プログラムであって、
前記ポイント管理携帯端末装置に、
該ポイント管理携帯端末装置の操作者が所持する仮想空間におけるポイントを記憶するポイント記憶機能と、
前記ポイント管理携帯端末装置の操作者が所持する仮想空間におけるアイテムを記憶するアイテム記憶機能と、
操作者がアイテムを売却することによって取得したポイントを前記ポイント記憶機能に記憶されているポイントに加算するポイント加算機能と、
前記管理装置にポイントを加算した旨を送信する加算送信機能と、
前記アイテムを売却したことを前記アイテム記憶機能に登録するアイテム登録機能と、
前記加算送信機能による送信が終了した後に、前記管理装置にアイテムを売却した旨を送信する売却送信機能
を実現させることを特徴とするポイント管理プログラム。
【００２０】
［１５］  無線通信によって携帯端末装置と情報の授受を可能に接続され、仮想空間におけるアイテムと交換することができるポイントを管理するポイント管理装置で実行されるポイント管理プログラムであって、
前記ポイント管理装置に、
前記携帯端末装置の操作者が所持する仮想空間におけるポイントを該操作者毎に記憶するポイント記憶機能と、
前記携帯端末装置の操作者が所持する仮想空間におけるアイテムを該操作者毎に記憶するアイテム記憶機能と、
前記携帯端末装置によって送信された加算したポイントを受信する加算受信機能と、
前記加算受信機能によって受信したポイントを前記ポイント記憶機能に記憶されているポイントに加算する第２のポイント加算機能と、
前記携帯端末装置によって送信されたアイテムを受信する売却受信機能と、
前記売却受信機能によって受信したアイテムを前記アイテム記憶機能から削除する第２のアイテム登録機能
を実現させることを特徴とするポイント管理プログラム。
【００２１】
［１６］  無線通信によって携帯端末装置と情報の授受を可能に接続された管理装置により、仮想空間におけるアイテムと交換することができるポイントを管理するポイント管理システムが行うポイント管理方法であって、
前記携帯端末装置は、
該携帯端末装置の操作者が所持する仮想空間におけるポイントを記憶する第１のポイント記憶手段と、
前記携帯端末装置の操作者が所持する仮想空間におけるアイテムを記憶する第１のアイテム記憶手段
を具備し、
操作者がアイテムを売却することによって取得したポイントを前記第１のポイント記憶手段に記憶されているポイントに加算し、
前記管理装置にポイントを加算した旨を送信し、
前記アイテムを売却したことを前記第１のアイテム記憶手段に登録し、
前記送信が終了した後に、前記管理装置にアイテムを売却した旨を送信し、
前記管理装置は、
前記携帯端末装置の操作者が所持する仮想空間におけるポイントを該操作者毎に記憶する第２のポイント記憶手段と、
前記携帯端末装置の操作者が所持する仮想空間におけるアイテムを該操作者毎に記憶する第２のアイテム記憶手段
を具備し、
前記携帯端末装置によって送信された加算したポイントを受信し、
前記受信したポイントを前記第２のポイント記憶手段に記憶されているポイントに加算し、
前記携帯端末装置によって送信されたアイテムを受信し、
前記受信したアイテムを前記第２のアイテム記憶手段から削除する
ことを特徴とするポイント管理方法。
【００２２】
［１７］  情報の授受を可能に無線通信によって接続された管理装置を用いて、仮想空間におけるアイテムと交換することができるポイントを管理するポイント管理携帯端末装置が行うポイント管理方法であって、
前記ポイント管理携帯端末装置は、
該ポイント管理携帯端末装置の操作者が所持する仮想空間におけるポイントを記憶するポイント記憶手段と、
前記ポイント管理携帯端末装置の操作者が所持する仮想空間におけるアイテムを記憶するアイテム記憶手段
を具備し、
操作者がアイテムを売却することによって取得したポイントを前記ポイント記憶手段に記憶されているポイントに加算し、
前記管理装置にポイントを加算した旨を送信し、
前記アイテムを売却したことを前記アイテム記憶手段に登録し、
前記送信が終了した後に、前記管理装置にアイテムを売却した旨を送信する
ことを特徴とするポイント管理方法。
【００２３】
［１８］  無線通信によって携帯端末装置と情報の授受を可能に接続され、仮想空間におけるアイテムと交換することができるポイントを管理するポイント管理装置が行うポイント管理方法であって、
前記ポイント管理装置は、
前記携帯端末装置の操作者が所持する仮想空間におけるポイントを該操作者毎に記憶するポイント記憶手段と、
前記携帯端末装置の操作者が所持する仮想空間におけるアイテムを該操作者毎に記憶するアイテム記憶手段
を具備し、
前記携帯端末装置によって送信された加算したポイントを受信し、
前記受信したポイントを前記ポイント記憶手段に記憶されているポイントに加算し、
前記携帯端末装置によって送信されたアイテムを受信し、
前記受信したアイテムを前記アイテム記憶手段から削除する
ことを特徴とするポイント管理方法。
【００２４】
前記本発明は次のように作用する。
本発明におけるポイント管理システム、ポイント管理携帯端末装置、ポイント管理装置、ポイント管理プログラムおよびポイント管理方法は、無線通信によって携帯端末装置と情報の授受を可能に接続された管理装置により、仮想空間におけるアイテムと交換することができるポイントを管理する。
アイテムを購入する場合、携帯端末装置は、操作者がポイントと交換することによってアイテムを取得したことを第１のアイテム記憶手段に登録し、管理装置にアイテムを登録した旨を送信し、前記アイテムを取得する際に交換したポイントを第１のポイント記憶手段に記憶されているポイントから減算し、前記送信が終了した後に、前記管理装置にポイントを減算した旨を送信し、管理装置は、前記携帯端末装置によって送信されたアイテムを受信し、前記受信したアイテムを第２のアイテム記憶手段に記憶し、前記携帯端末装置によって送信された減算したポイントを受信し、前記受信したポイントを第２のポイント記憶手段に記憶されているポイントから減算する。これによって、携帯端末装置と管理装置間の通信によって仮想空間におけるポイント管理を行うにあたって、アイテムを購入した後に通信が切断されてしまった場合であっても、利用者が損失を被らないようにすることができる。
【００２５】
アイテムを売却する場合、携帯端末装置は、操作者がアイテムを売却することによって取得したポイントを前記第１のポイント記憶手段に記憶されているポイントに加算し、前記管理装置にポイントを加算した旨を送信し、前記アイテムを売却したことを前記第１のアイテム記憶手段に登録し、前記送信が終了した後に、前記管理装置にアイテムを売却した旨を送信し、前記管理装置は、前記携帯端末装置によって送信された加算したポイントを受信し、前記受信したポイントを前記第２のポイント記憶手段に記憶されているポイントに加算し、前記携帯端末装置によって送信されたアイテムを受信し、前記受信したアイテムを前記第２のアイテム記憶手段から削除する。これによって、携帯端末装置と管理装置間の通信によって仮想空間におけるポイント管理を行うにあたって、ポイントを取得した後に通信が切断されてしまった場合であっても、利用者が損失を被らないようにすることができる。
【発明の効果】
【００２６】
本発明にかかるポイント管理システム、ポイント管理携帯端末装置、ポイント管理装置、ポイント管理プログラムおよびポイント管理方法によれば、携帯端末装置と管理装置間の通信によって仮想空間におけるポイント管理を行うにあたって、その途中で通信が切断されてしまった場合であっても、利用者が損失を被らないようにすることができる。それによって、利用者が安心して仮想空間における行動を行うことができる。
【発明を実施するための最良の形態】
【００２７】
まず、本実施の形態の理解を容易にするために、図５〜図８を用いて、仮想空間アプリケーションを説明する。
仮想空間アプリケーションは、現実世界では出会えないような人とのコミュニケーションの場を提供するものであり、そのために仮想空間としての街を用意し、「もう一人の自分」としてのアバターを介してリアルタイムでチャットを行う環境を用意する。これによって、広告、電子的なコンテンツに関するビジネスを活性化させることもできる。
また、この仮想空間としての街は、携帯電話の中に広がる、現実世界とは別のもう一つの世界である。その街では、ユーザー自身としてのアバターが行動し、別のユーザーと会話（チャット）をしたり、自分の部屋（マイルーム）を飾り付けたりしながら、現実とは違った自分として生活することができる。
ただし、仮想空間でのみの行動ではなく、実在するユーザーとの会話ができ、自分の趣味にあった電子的なコンテンツまたは現実としてのコンテンツ等を購入することができ、現実の世界とも通じている。
また、仮想空間としての街は、季節にあわせて変化させたり、新しい店舗、タウンを作ったりすることもできる。
【００２８】
図５を用いて、仮想空間アプリケーションが取り扱う仮想空間を説明する。仮想空間は、立体的に描画されたグラフィックスによって描いており、大きく分けてマイルーム５２０、センター街５１０、おしゃれタウン５３０等のタウンからなる。アバターはこの仮想空間を自由に移動することができる。
マイルーム５２０は、ユーザー毎に割り当てられる空間である。仮想空間アプリケーション起動時は、このマイルーム５２０から始まる。また、マイルーム５２０はユーザーによって模様替えすることもできる。他のユーザーを招待して、自分のマイルーム５２０を他のユーザーに見せたり、その中でチャットすることができる。マイルーム５２０はセンター街５１０とつながっており、マイルーム５２０のドアを開くと、センター街５１０へ移動することができる。
【００２９】
センター街５１０は、ユーザー全員が共有する空間である。他人と出会ったり、チャットしたりできる。また、アイテムをショップ５１２で購入・売却したり、拾ったりすることもできる。ショップ５１２では、ポイント等を用いてアイテムを購入すること、逆にアイテムを売却することによってポイントを入手することができる。なお、図５では、ショップ５１２として、ショップ５１２Ａ〜ショップ５１２Ｄの４つが配置されている。
また、アイテムとしては、マイルーム５２０を飾る壁紙、マイルーム５２０を飾る額縁、マイルーム５２０内に置く植物、等がある。
また、ポイントは、仮想空間の中で現金のように通用する仮想マネーであり、アイテムとの交換に用いることができる。ポイントは、初期の状態でいくらか付与されており、自分が所持しているアイテムを売却することによって入手することができ、アイテム購入代金、サービス利用料、特別な空間への入場料、イベント参加料等として利用することができる。
【００３０】
そして、看板広告５１１をセンター街５１０内に配置することができる。看板広告５１１にはＵＲＬを埋め込んでおき、その看板広告５１１が操作者によって携帯電話２００のキー４２０を用いてクリックされると、ＵＲＬが示すサーバーにアクセスすることができる。なお、図５では、看板広告５１１として、看板広告５１１Ａ〜看板広告５１１Ｄの４つが配置されている。
センター街５１０は、マイルーム５２０、おしゃれタウン５３０等のタウンとつながっており、ユーザーはマイルーム５２０からセンター街５１０へ入場し、おしゃれタウン５３０等のタウンへ入場することができる。
【００３１】
タウンは、おしゃれタウン５３０、デジタルタウン５４０、アクティブタウン５５０、カルチャータウン５６０からなり、センター街５１０と同様に、ユーザー全員が共有できる空間であり、他人と出会ったり、チャットしたりできる。また、ショップ５１２でアイテムを購入することもできる。タウンが複数あるのは、趣味によって集まるユーザーが異なるからである。おしゃれタウン５３０にはファッション、美容、グルメ、ペット等のショップ５１２が配置され、デジタルタウン５４０には携帯電話、パソコン、ゲーム等のショップ５１２が配置され、アクティブタウン５５０にはスポーツ、釣り、アウトドア、車、バイク、旅行、ギャンブル等のショップ５１２が配置され、カルチャータウン５６０にはテレビ、映画、読書、アート、音楽、カラオケ、習い事、語学等のショップ５１２が配置される。これらのショップ５１２は各ショップの経営者によって管理される。
【００３２】
図６を用いて、マイルーム５２０および登場人物を説明する。マイルーム５２０は、図６に示すように、現実の部屋を模しており、自分自身を表しているアバターＡ６１０のほかに、他のユーザーを表しているアバターＢ６２０、アバターＣ６３０が入ることができる。ただし、他のユーザーのアバターＢ６２０、アバターＣ６３０をマイルーム５２０に入れるには「トモダチ」になる必要がある。逆に、「トモダチ」になれば、他のユーザーのマイルーム５２０へ行くこともできる。
【００３３】
図７を用いて、マイルーム５２０を詳細に説明する。図７（Ａ）は、マイルーム５２０を上から見た図である。図７において、マイルーム５２０の右上隅は図７（Ｂ）に示し、マイルーム５２０の右下隅は図７（Ｃ）に示し、マイルーム５２０の左下隅は図７（Ｄ）に示し、マイルーム５２０の左上隅は図７（Ｅ）に示した。
マイルーム５２０の右上隅には、ショップ５１２で購入したポスター等を貼り付けることができるマイボード７１０、この街のユーザーとメールすることができるメール７２０、そのユーザーが所持している仮想マネーを確認することができる金庫７３０が配置されている。
マイルーム５２０の右下隅には、そのユーザーが所持している全てのアイテムを確認できる収納７４０、ショップ５１２で購入したものである植物７５０が配置されている。
【００３４】
マイルーム５２０の左下隅には、コレクションスペース７６１〜コレクションスペース７６４が配置されている。それぞれのコレクションスペースの上にはアイテムＡ７７１、アイテムＢ７７２を飾ることができる。アイテムＡ７７１は、センター街５１０で拾ってきたアイテムやショップ５１２で購入したアイテム等である。
マイルーム５２０の左上隅には、携帯電話から音楽を聴くためのＢＧＭ７８０、エージェント７８２を置くためのエージェントスペース７８１、センター街５１０へ行くことができるドア７９０が配置されている。エージェント７８２は、ユーザーの指示によって所望のプロファイルを有している他のユーザーを探したりする。また、各種コミュニケーションを行った頻度によって、エージェント７８２の外観を変化させたり、エージェント７８２の能力（ユーザーの頼みごとを叶えたり、他のユーザーを探す能力等）を向上させることができる。
【００３５】
図８を用いて、仮想空間アプリケーションにおけるコミュニケーション例について説明する。図８のそれぞれは、携帯電話２００のディスプレイ４１０に表示する画像である。図８（Ａ）は、マイルーム５２０にトモダチを招待した場合の画像である。図８（Ａ）では、「ヒロシ」のマイルーム５２０に、他のユーザーである「ＪＪ」、「みやっち」、「たくや」、「ゆみこ」を招待した例である。図８（Ｂ）は、図８（Ａ）の続きであり、その５人によってチャットが行われている例である。また、チャット内の文字に絵文字を利用した場合は、その絵文字にあわせて発言したアバターを動作させることもできる。図８（Ｃ）は、センター街５１０で会った他のユーザーと、１対１によるチャットを行う場面例である。図８（Ｄ）は、この仮想空間アプリケーションにおけるメールを例示したものである。このメールは、会話したいユーザーが現在は仮想空間アプリケーションにログインしていない場合に、マイルーム５２０にあるメール７２０を用いてコミュニケーションをとるものである。
【００３６】
以下、図面に基づき本発明の好適な一実施の形態を説明する。
各図は本発明の一実施の形態を示している。図１、図２は、本発明の一実施の形態の概念的なモジュール構成図を示している。
なお、モジュールとは、一般的に論理的に分離可能なソフトウェア、ハードウェア等の部品を指す。したがって、本実施の形態におけるモジュールはプログラムにおけるモジュールのことだけでなく、ハードウェア構成におけるモジュールも指す。それゆえ、本実施の形態は、プログラム、システムおよび方法の説明をも兼ねている。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散または並列環境におけるコンピュータによって１モジュールが複数コンピュータで実行されてもよい。また、以下、「接続」とは物理的な接続の他、論理的な接続を含む。
また、システムとは、複数のコンピュータ、ハードウェア、装置等がネットワーク等で接続されて構成されるほか、１つのコンピュータ、ハードウェア、装置等によって実現される場合も含まれる。
以下、携帯端末装置として、携帯電話を主に例示して説明する。また、ポイントは、仮想空間内でのみ利用できるものとする。
【００３７】
図１に示す本実施の形態は、管理サーバー１００内のモジュール構成であり、登録受信モジュール１１２、アイテム登録モジュール１１４、減算受信モジュール１１６、ポイント減算モジュール１１８、加算受信モジュール１２２、ポイント加算モジュール１２４、削除受信モジュール１２６、アイテム削除モジュール１２８、アイテム管理テーブル１３２、ポイント管理テーブル１３４を備えている。
登録受信モジュール１１２、アイテム登録モジュール１１４、減算受信モジュール１１６、ポイント減算モジュール１１８、アイテム管理テーブル１３２、ポイント管理テーブル１３４は、アイテム購入時のポイント管理に用いられる。
加算受信モジュール１２２、ポイント加算モジュール１２４、削除受信モジュール１２６、アイテム削除モジュール１２８、アイテム管理テーブル１３２、ポイント管理テーブル１３４は、アイテム売却時のポイント管理に用いられる。
また、この仮想空間においては、アイテムの登録処理とポイントの登録処理とは別々の処理である。
【００３８】
登録受信モジュール１１２は、図１に示すように、アイテム登録モジュール１１４と接続されており、携帯電話２００のアイテム登録モジュール２１２によって送信された登録すべきアイテム名を受信する。受信したアイテム名をアイテム登録モジュール１１４へ渡す。
アイテム登録モジュール１１４は、図１に示すように、登録受信モジュール１１２、減算受信モジュール１１６、アイテム管理テーブル１３２と接続されており、登録受信モジュール１１２によって受信したアイテム名をアイテム管理テーブル１３２に記憶する。つまり、その操作者は新たにアイテムを入手したことを意味する。
減算受信モジュール１１６は、図１に示すように、アイテム登録モジュール１１４、ポイント減算モジュール１１８と接続されており、携帯電話２００の減算送信モジュール２１８によって送信された減算したポイントを受信する。受信したポイントをポイント減算モジュール１１８へ渡す。
ポイント減算モジュール１１８は、図１に示すように、減算受信モジュール１１６、ポイント管理テーブル１３４と接続されており、減算受信モジュール１１６によって受信したポイントをポイント管理テーブル１３４に記憶されているポイントから減算する。
【００３９】
加算受信モジュール１２２は、図１に示すように、ポイント加算モジュール１２４と接続されており、携帯電話２００のポイント加算モジュール２２２によって送信された加算したポイントを受信する。
ポイント加算モジュール１２４は、図１に示すように、加算受信モジュール１２２、削除受信モジュール１２６、ポイント管理テーブル１３４と接続されており、加算受信モジュール１２２によって受信したポイントをポイント管理テーブル１３４に記憶されているポイントに加算する。
削除受信モジュール１２６は、図１に示すように、ポイント加算モジュール１２４、アイテム削除モジュール１２８と接続されており、携帯電話２００のアイテム削除モジュール２２６によって送信されたアイテムを受信する。受信したアイテムは、売却（削除）したアイテムである。
アイテム削除モジュール１２８は、図１に示すように、削除受信モジュール１２６、アイテム管理テーブル１３２と接続されており、削除受信モジュール１２６によって受信したアイテムをアイテム管理テーブル１３２から削除する。
【００４０】
アイテム管理テーブル１３２は、図１に示すように、アイテム登録モジュール１１４、アイテム削除モジュール１２８と接続されており、携帯電話２００の操作者が所持する仮想空間におけるアイテムを該操作者毎に記憶する。そして、アイテム登録モジュール１１４からアクセスされ、アイテムを付加（購入）する登録がされる。また、アイテム削除モジュール１２８からアクセスされ、アイテムを削除（売却）する登録がされる。
ポイント管理テーブル１３４は、図１に示すように、ポイント減算モジュール１１８、ポイント加算モジュール１２４と接続されており、携帯電話２００の操作者が所持する仮想空間におけるポイントを該操作者毎に記憶する。そして、ポイント減算モジュール１１８からアクセスされ、ポイントが減算される。また、ポイント加算モジュール１２４からアクセスされ、ポイントが加算される。
【００４１】
図２に示す本実施の形態は、携帯電話２００内のモジュール構成であり、アイテム登録モジュール２１２、登録送信モジュール２１４、ポイント減算モジュール２１６、減算送信モジュール２１８、ポイント加算モジュール２２２、加算送信モジュール２２４、アイテム削除モジュール２２６、削除送信モジュール２２８、アイテム管理テーブル２３２、ポイント管理テーブル２３４を備えている。
アイテム登録モジュール２１２、登録送信モジュール２１４、ポイント減算モジュール２１６、減算送信モジュール２１８、アイテム管理テーブル２３２、ポイント管理テーブル２３４は、アイテム購入時のポイント管理に用いられる。
ポイント加算モジュール２２２、加算送信モジュール２２４、アイテム削除モジュール２２６、削除送信モジュール２２８、アイテム管理テーブル２３２、ポイント管理テーブル２３４は、アイテム売却時のポイント管理に用いられる。
【００４２】
アイテム登録モジュール２１２は、図２に示すように、登録送信モジュール２１４、アイテム管理テーブル２３２と接続されており、操作者がポイントと交換することによってアイテムを取得したことをアイテム管理テーブル２３２に登録する。
登録送信モジュール２１４は、図２に示すように、アイテム登録モジュール２１２、ポイント減算モジュール２１６と接続されており、管理サーバー１００の登録受信モジュール１１２にアイテムを登録した旨を送信する。
ポイント減算モジュール２１６は、図２に示すように、登録送信モジュール２１４、減算送信モジュール２１８、ポイント管理テーブル２３４と接続されており、アイテムを取得する際に交換したポイントをポイント管理テーブル２３４に記憶されているポイントから減算する。つまり、アイテムを購入するに際して支払ったポイントを現在有しているポイントから減算する。
減算送信モジュール２１８は、図２に示すように、ポイント減算モジュール２１６と接続されており、登録送信モジュール２１４による送信が終了した後に、管理サーバー１００にポイントを減算した旨を送信する。つまり、アイテム購入時には、アイテムを入手したことを先に管理サーバー１００へ伝え、その後に、その購入代金としての意味があるポイントの減算を管理サーバー１００に伝えるようにしている。このようにすることによって、たとえ、登録送信モジュール２１４によってアイテムを登録した旨を送信した後に、携帯電話２００と管理サーバー１００の通信が切断されるような事故（例えば、携帯電話２００を所持している操作者が通信できない圏外に移動した場合等）があったとしても、操作者側は何ら損害を被らないことになる。
【００４３】
ポイント加算モジュール２２２は、図２に示すように、加算送信モジュール２２４、ポイント管理テーブル２３４と接続されており、操作者がアイテムを売却することによって取得したポイントをポイント管理テーブル２３４に記憶されているポイントに加算する。
加算送信モジュール２２４は、図２に示すように、ポイント加算モジュール２２２、アイテム削除モジュール２２６と接続されており、管理サーバー１００にポイントを加算した旨を送信する。
アイテム削除モジュール２２６は、図２に示すように、加算送信モジュール２２４、削除送信モジュール２２８、アイテム管理テーブル２３２と接続されており、前記アイテムを売却したことをアイテム管理テーブル２３２に登録する。
削除送信モジュール２２８は、図２に示すように、アイテム削除モジュール２２６と接続されており、加算送信モジュール２２４による送信が終了した後に、管理サーバー１００にアイテムを売却した旨を送信する。つまり、アイテム売却時には、アイテムの売却代金としての意味があるポイントを入手したことを先に管理サーバー１００へ伝え、その後に、アイテムの削除（売却）を管理サーバー１００に伝えるようにしている。このようにすることによって、たとえ、ポイント加算モジュール２２２によってポイントを加算した旨を送信した後に、携帯電話２００と管理サーバー１００の通信が切断されるような事故があったとしても、操作者側は何ら損害を被らないことになる。
【００４４】
アイテム管理テーブル２３２は、図２に示すように、アイテム登録モジュール２１２、アイテム削除モジュール２２６と接続されており、携帯電話２００の操作者が所持する仮想空間におけるアイテムを記憶する。そして、アイテム登録モジュール２１２からアクセスされ、アイテムを付加（購入）する登録がされる。また、アイテム削除モジュール２２６からアクセスされ、アイテムを削除（売却）する登録がされる。
ポイント管理テーブル２３４は、図２に示すように、ポイント減算モジュール２１６、ポイント加算モジュール２２２と接続されており、携帯電話２００の操作者が所持する仮想空間におけるポイントを記憶する。そして、ポイント減算モジュール２１６からアクセスされ、ポイントが減算される。また、ポイント加算モジュール２２２からアクセスされ、ポイントが加算される。
【００４５】
図３に図１または図２に示した本実施の形態が実現されるハード的なモジュール構成例を示す。
管理サーバー１００と携帯電話２００とは、通信回線３００を介して接続されている。
管理サーバー１００は、通信モジュール１９１、ＣＰＵ１９２、入力モジュール１９３、表示モジュール１９４、ＲＡＭ１９５、ＲＯＭ１９６、ＨＤＤ１９７を備えており、これらはバス１９９によって接続されている。
通信モジュール１９１は、携帯電話２００と通信するための通信回線３００とのインタフェースである。
ＣＰＵ１９２は、ＲＡＭ１９５に記憶されているプログラムに従って各種の処理を実行する。前述したアイテム登録モジュール１１４、ポイント減算モジュール１１８、ポイント加算モジュール１２４、アイテム削除モジュール１２８等による処理を実行する。
入力モジュール１９３は、キーボード、マウス等のポインティングデバイス等からの入力を受け付ける。
表示モジュール１９４は、各種プログラムによる処理結果等をディスプレイに表示する。
ＲＡＭ１９５は、アイテム登録モジュール１１４、ポイント減算モジュール１１８、ポイント加算モジュール１２４、アイテム削除モジュール１２８等を実現するプログラム、各モジュールが処理する変数等を記憶する。
ＲＯＭ１９６は、管理サーバー１００の起動時に動作するプログラム等を記憶している。
ＨＤＤ１９７は、アイテム管理テーブル１３２、ポイント管理テーブル１３４等の内容を記憶する記憶装置である。
【００４６】
携帯電話２００は、アンテナ２９１、通信モジュール２９２、ＣＰＵ２９３、キー入力モジュール２９４、表示モジュール２９５、ＲＡＭ２９６、ＲＯＭ２９７、メモリーカードモジュール２９８を備えており、これらはバス２９９によって接続されている。
通信モジュール２９２は、無線による通信を行うアンテナ２９１を介して管理サーバー１００と通信するための通信回線３００とのインタフェースである。
ＣＰＵ２９３は、ＲＡＭ２９６に記憶されているプログラムに従って各種の処理を実行する。前述したアイテム登録モジュール２１２、ポイント減算モジュール２１６、ポイント加算モジュール２２２、アイテム削除モジュール２２６等による処理を実行する。
キー入力モジュール２９４は、携帯電話２００のキー４２０からの入力を受け付ける。
表示モジュール２９５は、各種プログラムによる処理結果等を携帯電話２００のディスプレイ４１０に表示する。
ＲＡＭ２９６は、アイテム登録モジュール２１２、ポイント減算モジュール２１６、ポイント加算モジュール２２２、アイテム削除モジュール２２６等を実現するプログラム、各モジュールが処理する変数等を記憶する。
ＲＯＭ２９７は、携帯電話２００の起動時に動作するプログラム等を記憶している。
メモリーカードモジュール２９８は、アイテム管理テーブル２３２、ポイント管理テーブル２３４等の内容を記憶する記憶装置である。なお、アイテム管理テーブル２３２、ポイント管理テーブル２３４等の内容はＲＡＭ２９６に記憶してもよい。
【００４７】
なお、携帯電話２００は、図４に示すように、電話としての機能を有するように音声入力できるマイク４５０と、音声出力できるスピーカ４４０と、電話番号または仮想空間アプリケーション等のために文字を入力するための文字入力装置であるキー４２０と、電波を送受信するアンテナ４３０と、キー４２０による文字入力の結果や仮想空間アプリケーション等による表示を行うディスプレイ４１０とを有している。また、このほかにカメラ等を有していてもよい。
【００４８】
次に作用・働き（動作）を説明する。
図９〜図１２を用いて、管理サーバー１００と携帯電話２００とが通信回線３００を介して行う通信手順について説明する。なお、図９、図１０はアイテムを購入する場合、図１１、図１２はアイテムを売却する場合の通信手順を示している。
図９は、アイテムを購入する場合の一般的な通信手順を示している。
ステップＳ９０１では、携帯電話２００の登録送信モジュール２１４によって、アイテムを購入したことを管理サーバー１００へ送信する。そして、管理サーバー１００の登録受信モジュール１１２が受信する。このステップでは、携帯電話２００はアイテムが増えたことを管理サーバー１００に通知し、正式な登録をしてもらうことを依頼する。
ステップＳ９０２では、管理サーバー１００のアイテム登録モジュール１１４が、携帯電話２００の保有者はそのアイテムを購入したことを登録し、登録完了を管理サーバー１００が携帯電話２００に通知する。
アイテム管理テーブル１３２内のデータ構造例を図１４を用いて説明する。アイテム購入テーブル１４００は、購入日時欄１４１０、アイテム欄１４２０、摘要欄１４３０を有している。仮想空間の利用者毎にアイテム購入テーブル１４００がある。購入日時欄１４１０には、登録受信モジュール１１２により受信した日時を購入日時として登録する。アイテム欄１４２０には、受信したアイテムの名称またはアイテムの識別番号等を登録する。摘要欄１４３０には、購入したショップ名等を登録してもよい。なお、携帯電話２００のアイテム管理テーブル２３２内のデータ構造例もアイテム購入テーブル１４００と同様である。
【００４９】
ステップＳ９０３では、携帯電話２００の減算送信モジュール２１８によって、アイテム購入代金分のポイントを減算したことを管理サーバー１００へ送信する。そして、管理サーバー１００の減算受信モジュール１１６が受信する。このステップでは、携帯電話２００はポイントを消費したことを管理サーバー１００に通知し、正式な登録をしてもらうことを依頼する。
ステップＳ９０４では、管理サーバー１００のポイント減算モジュール１１８が、携帯電話２００の保有者はポイントが減算されたことを登録し、登録完了を管理サーバー１００が携帯電話２００に通知する。
ポイント管理テーブル１３４内のデータ構造例を図１３を用いて説明する。ポイント管理テーブル１３００は、日時欄１３１０、支払ポイント欄１３２０、受取ポイント欄１３３０、ポイント残高欄１３４０、摘要欄１３５０を有している。仮想空間の利用者毎にポイント管理テーブル１３００がある。日時欄１３１０には、減算受信モジュール１１６により受信した日時を購入日時として登録する。支払ポイント欄１３２０には、支払ったポイント（減算するポイント）を登録する。受取ポイント欄１３３０には、受け取ったポイント（加算するポイント）を登録する。ポイント残高欄１３４０には、それまでの残高ポイントと支払いポイントまたは受取ポイントとから計算される残高ポイントを登録する。摘要欄１３５０には、ポイントを利用又は取得したショップ名等を登録してもよい。なお、携帯電話２００のポイント管理テーブル２３４内のデータ構造例もポイント管理テーブル１３００と同様である。
【００５０】
図１０は、アイテムを購入する場合に途中で通信切断が生じた場合の通信手順を示している。
ステップＳ１００１、ステップＳ１００２は、それぞれ図９で示したフローチャートのステップＳ９０１、ステップＳ９０２と同様である。
ステップＳ１００３で、ステップＳ１００２の後に通信切断が生じたとする。つまり、管理サーバー１００のアイテム管理テーブル１３２には購入したアイテムが登録されているが、ポイント管理テーブル１３４ではその代金であるポイントが減算されていない状態である。
【００５１】
ステップＳ１００４では、通信切断後に、携帯電話２００の保有者が仮想空間の利用者として、管理サーバー１００にログインを行った場合である。
ステップＳ１００５では、管理サーバー１００はログイン処理終了後、ログインを許可したことを携帯電話２００に通知する。
ステップＳ１００６では、ログイン後、前回の利用で通信が切断され、ポイント登録処理が途中で終了したことを検知した場合、または、ログイン後は必ず、携帯電話２００内のポイント管理テーブル２３４が正しいことを管理サーバー１００に確認依頼する。
ステップＳ１００７では、管理サーバー１００は、その利用者の現在のポイント管理テーブル１３４内のポイントを携帯電話２００に通知する。
ステップＳ１００８では、携帯電話２００は、ステップＳ１００７で受信したポイントと現在のポイント管理テーブル２３４内のポイントが異なるので、減算送信モジュール２１８が前回のポイント減算額を管理サーバー１００に送信する。
ステップＳ１００９では、管理サーバー１００は、ステップＳ１００８で受信したポイントをポイント管理テーブル１３４内のポイントから減算して、終了したことを携帯電話２００に通知する。
このように、仮想空間へのログイン後、携帯電話２００は自己のポイントのチェック依頼を管理サーバー１００に送信し、管理サーバー１００が現在のポイントを送信し、そのポイントを携帯電話２００が確認するので、アイテム購入時に通信切断があった場合であっても、適切にポイントの処理ができるようになる。
【００５２】
図１１は、アイテムを売却する場合の一般的な通信手順を示している。
ステップＳ１１０１では、携帯電話２００の加算送信モジュール２２４によって、アイテムを売却したことによってポイントを入手したことを管理サーバー１００へ送信する。そして、管理サーバー１００の加算受信モジュール１２２が受信する。このステップでは、携帯電話２００はポイントが増えたことを管理サーバー１００に通知し、正式な登録をしてもらうことを依頼する。
ステップＳ１１０２では、管理サーバー１００のポイント加算モジュール１２４が、携帯電話２００の保有者はそのアイテム分のポイントを加算したことを登録し、登録完了を管理サーバー１００が携帯電話２００に通知する。
ステップＳ１１０３では、携帯電話２００の削除送信モジュール２２８によって、アイテムを売却したことを管理サーバー１００へ送信する。そして、管理サーバー１００の削除受信モジュール１２６が受信する。このステップでは、携帯電話２００はアイテムがなくなったことを管理サーバー１００に通知し、正式な登録をしてもらうことを依頼する。
アイテム管理テーブル１３２内のデータ構造例を図１５を用いて説明する。アイテム売却テーブル１５００は、売却日時欄１５１０、アイテム欄１５２０、摘要欄１５３０を有している。仮想空間の利用者毎にアイテム売却テーブル１５００がある。売却日時欄１５１０には、削除受信モジュール１２６により受信した日時を売却日時として登録する。アイテム欄１５２０には、受信したアイテムの名称またはアイテムの識別番号等を登録する。摘要欄１５３０には、売却したショップ名等を登録してもよい。なお、携帯電話２００のアイテム管理テーブル２３２内のデータ構造例もアイテム売却テーブル１５００と同様である。また、図１４に示したアイテム購入テーブル１４００と図１５に示したアイテム売却テーブル１５００とのマッチングを行って、現在保有しているアイテムだけを記憶するようにしてもよい。
ステップＳ１１０４では、管理サーバー１００のアイテム削除モジュール１２８が、携帯電話２００の保有者はアイテムを売却したことを登録（アイテムを削除）し、登録完了を管理サーバー１００が携帯電話２００に通知する。
【００５３】
図１２は、アイテムを売却する場合に途中で通信切断が生じた場合の通信手順を示している。
ステップＳ１２０１、ステップＳ１２０２は、それぞれ図１１で示したフローチャートのステップＳ１１０１、ステップＳ１１０２と同様である。
ステップＳ１２０３で、ステップＳ１２０２の後に通信切断が生じたとする。つまり、管理サーバー１００のポイント管理テーブル１３４には加算したポイントが登録されているが、アイテム管理テーブル１３２では売却したアイテムが削除されていない状態である。
【００５４】
ステップＳ１２０４、ステップＳ１２０５は、それぞれ図１０で示したフローチャートのステップＳ１００４、ステップＳ１００５と同様である。
ステップＳ１２０６では、ログイン後、前回の利用で通信が切断され、アイテム登録処理が途中で終了したことを検知した場合、または、ログイン後は必ず、携帯電話２００内のアイテム管理テーブル２３２が正しいことを管理サーバー１００に確認依頼する。
ステップＳ１２０７では、管理サーバー１００は、その利用者の現在のアイテム管理テーブル１３２内のアイテムを携帯電話２００に通知する。
ステップＳ１２０８では、携帯電話２００は、ステップＳ１２０７で受信したアイテムと現在のアイテム管理テーブル２３２内のアイテムが異なるので、削除送信モジュール２２８が前回の削除アイテムを管理サーバー１００に送信する。
ステップＳ１２０９では、管理サーバー１００は、ステップＳ１２０８で受信したアイテムをアイテム管理テーブル１３２から削除して、終了したことを携帯電話２００に通知する。
このように、仮想空間へのログイン後、携帯電話２００は自己のアイテムのチェック依頼を管理サーバー１００に送信し、管理サーバー１００が現在のアイテムを送信し、そのアイテムを携帯電話２００が確認するので、アイテム売却時に通信切断があった場合であっても、適切にアイテムの処理ができるようになる。
【００５５】
前記実施の形態においては、携帯端末装置として、携帯電話を示したが、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の携帯可能であり、無線通信可能なものであればよい。
【００５６】
なお、説明したプログラムについては、記録媒体に格納することも可能であり、その場合は、例えば以下の発明としても把握することができる。
情報の授受を可能に無線通信によって接続された管理装置を用いて、仮想空間におけるアイテムと交換することができるポイントを管理するポイント管理携帯端末装置で実行されるポイント管理プログラムを記録したコンピュータ読み取り可能な記録媒体であって、
前記携帯端末装置に、
該携帯端末装置の操作者が所持する仮想空間におけるポイントを記憶するポイント記憶機能と、
前記携帯端末装置の操作者が所持する仮想空間におけるアイテムを記憶するアイテム記憶機能と、
操作者がポイントと交換することによってアイテムを取得したことを前記アイテム記憶機能に登録するアイテム登録機能と、
前記管理装置にアイテムを登録した旨を送信する登録送信機能と、
前記アイテムを取得する際に交換したポイントを前記ポイント記憶機能に記憶されているポイントから減算するポイント減算機能と、
前記登録送信機能による送信が終了した後に、前記管理装置にポイントを減算した旨を送信する減算送信機能
を実現させることを特徴とするポイント管理プログラムを記録したコンピュータ読み取り可能な記録媒体。
【００５７】
無線通信によって携帯端末装置と情報の授受を可能に接続され、仮想空間におけるアイテムと交換することができるポイントを管理するポイント管理装置で実行されるポイント管理プログラムを記録したコンピュータ読み取り可能な記録媒体であって、
前記ポイント管理装置に、
前記携帯端末装置の操作者が所持する仮想空間におけるポイントを該操作者毎に記憶するポイント記憶機能と、
前記携帯端末装置の操作者が所持する仮想空間におけるアイテムを該操作者毎に記憶するアイテム記憶機能と、
前記携帯端末装置によって送信されたアイテムを受信する登録受信機能と、
前記登録受信機能によって受信したアイテムを前記アイテム記憶機能に記憶するアイテム登録機能と、
前記携帯端末装置によって送信された減算したポイントを受信する減算受信機能と、
前記減算受信機能によって受信したポイントを前記ポイント記憶機能に記憶されているポイントから減算するポイント減算機能
を実現させることを特徴とするポイント管理プログラムを記録したコンピュータ読み取り可能な記録媒体。
【００５８】
情報の授受を可能に無線通信によって接続された管理装置を用いて、仮想空間におけるアイテムと交換することができるポイントを管理するポイント管理携帯端末装置で実行されるポイント管理プログラムを記録したコンピュータ読み取り可能な記録媒体であって、
前記携帯端末装置に、
該携帯端末装置の操作者が所持する仮想空間におけるポイントを記憶するポイント記憶機能と、
前記携帯端末装置の操作者が所持する仮想空間におけるアイテムを記憶するアイテム記憶機能と、
操作者がアイテムを売却することによって取得したポイントを前記ポイント記憶機能に記憶されているポイントに加算するポイント加算機能と、
前記管理装置にポイントを加算した旨を送信する加算送信機能と、
前記アイテムを売却したことを前記アイテム記憶機能に登録するアイテム登録機能と、
前記加算送信機能による送信が終了した後に、前記管理装置にアイテムを売却した旨を送信する売却送信機能
を実現させることを特徴とするポイント管理プログラムを記録したコンピュータ読み取り可能な記録媒体。
【００５９】
無線通信によって携帯端末装置と情報の授受を可能に接続され、仮想空間におけるアイテムと交換することができるポイントを管理するポイント管理装置で実行されるポイント管理プログラムを記録したコンピュータ読み取り可能な記録媒体であって、
前記ポイント管理装置に、
前記携帯端末装置の操作者が所持する仮想空間におけるポイントを該操作者毎に記憶するポイント記憶機能と、
前記携帯端末装置の操作者が所持する仮想空間におけるアイテムを該操作者毎に記憶するアイテム記憶機能と、
前記携帯端末装置によって送信された加算したポイントを受信する加算受信機能と、
前記加算受信機能によって受信したポイントを前記ポイント記憶機能に記憶されているポイントに加算する第２のポイント加算機能と、
前記携帯端末装置によって送信されたアイテムを受信する売却受信機能と、
前記売却受信機能によって受信したアイテムを前記アイテム記憶機能から削除する第２のアイテム登録機能
を実現させることを特徴とするポイント管理プログラムを記録したコンピュータ読み取り可能な記録媒体。
【００６０】
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
さらに、上記のプログラムは、他のプログラムの一部分であってもよく、あるいは別個のプログラムと共に記録媒体に記録されていてもよい。
【図面の簡単な説明】
【００６１】
【図１】本実施の形態に係る管理サーバー側の概念的なモジュール構成例を示すブロック図である。
【図２】本実施の形態に係る携帯電話側の概念的なモジュール構成例を示すブロック図である。
【図３】本実施の形態に係る全体のモジュール構成例を示すブロック図である。
【図４】携帯電話の構成例を示す説明図である。
【図５】仮想空間における地図を示す説明図である。
【図６】仮想空間におけるマイルームを示す説明図である。
【図７】仮想空間におけるマイルームを示す説明図である。
【図８】仮想空間におけるコミュニケーション例を示す説明図である。
【図９】管理サーバーと携帯電話との間の通信手順例を示す説明図である。
【図１０】管理サーバーと携帯電話との間の通信手順例を示す説明図である。
【図１１】管理サーバーと携帯電話との間の通信手順例を示す説明図である。
【図１２】管理サーバーと携帯電話との間の通信手順例を示す説明図である。
【図１３】ポイント管理テーブルのデータ構造例を示す説明図である。
【図１４】アイテム管理テーブルのデータ構造例を示す説明図である。
【図１５】アイテム管理テーブルのデータ構造例を示す説明図である。
【符号の説明】
【００６２】
１００…管理サーバー
１１２…登録受信モジュール
１１４…アイテム登録モジュール
１１６…減算受信モジュール
１１８…ポイント減算モジュール
１２２…加算受信モジュール
１２４…ポイント加算モジュール
１２６…削除受信モジュール
１２８…アイテム削除モジュール
１３２…アイテム管理テーブル
１３４…ポイント管理テーブル
２００…携帯電話
２１２…アイテム登録モジュール
２１４…登録送信モジュール
２１６…ポイント減算モジュール
２１８…減算送信モジュール
２２２…ポイント加算モジュール
２２４…加算送信モジュール
２２６…アイテム削除モジュール
２２８…削除送信モジュール
２３２…アイテム管理テーブル
２３４…ポイント管理テーブル
【図１】
2008083840.tif 000003
【図２】
2008083840.tif 000004
【図３】
2008083840.tif 000005
【図４】
2008083840.tif 000006
【図５】
2008083840.tif 000007
【図６】
2008083840.tif 000008
【図７】
2008083840.tif 000009
【図８】
2008083840.tif 000010
【図９】
2008083840.tif 000011
【図１０】
2008083840.tif 000012
【図１１】
2008083840.tif 000013
【図１２】
2008083840.tif 000014
【図１３】
2008083840.tif 000015
【図１４】
2008083840.tif 000016
【図１５】
2008083840.tif 000017